(57)【要約】【課題】  軽量、低コスト、且つ、単一の部材でも現実的に家具として使用することができ、さらに、子どもが大きくなった際にも家具として使用することができる組立て家具ユニットを提供する。【解決手段】  同じ幅を有し、その長さの比が２対１である薄板状のペーパーハニカムから成る長方形状の横材と正方形状の縦材とがコの字型となるように該横材の両端に該縦材を直角に固定し、且つ、前記横材の四隅部及び前記縦材の開放側の二隅部に結合穴を形成したことを特徴とする組立て家具。【選択図】図１
2008289634.tif 000002
【特許請求の範囲】
【請求項１】
同じ幅を有し、その長さの比が２対１である薄板状のペーパーハニカムから成る長方形状の横材と正方形状の縦材とがコの字型となるように該横材の両端に該縦材を直角に固定し、且つ、前記横材の四隅部及び前記縦材の開放側の二隅部に結合穴を形成したことを特徴とする組立て家具。
【請求項２】
請求項１の組立て家具において、前記縦材の横材との固定側の二隅部にも結合穴を形成したことを特徴とする組立て家具。
【発明の詳細な説明】
【技術分野】
【０００１】
本発明は、多種多様な用途に対応可能な子ども用の組立て家具ユニットに関する。
【背景技術】
【０００２】
従来、子どもの発育を促す玩具としては、積木等の複数の部材を組み合わせて多種多様な形状を作り上げるものがある。しかし、これらの玩具は、子どもの発育と共に、使用頻度が減り、ついには使用されなくなる。そのため、子どもの発育を促すような玩具においても、各部材を組み合わせることにより、家具となり得るものも考案されている。
【０００３】
例えば、従来の組立て玩具は、図２６に示すように、複数の雄部材２０と複数の雌部材２１とから成って、雄部材２０及び雌部材２１は全体を一定の厚さとしている。雄部材２０は、長方形の板状に形成して厚さの３倍の寸法の幅とした中央部２２の両端面の中央からそれぞれ外側へ向け、雄部材２０及び雌部材２１の板厚の３倍の長さとした突起２３をそれぞれ設けたものである。また、雌部材２１は、雄部材２０及び雌部材２１の板厚の３倍の寸法の幅とした長方形の板状に形成して両端面の中央からそれぞれ内側へ向け、雄部材２０及び雌部材２１の板厚の３倍の寸法の奥行きとした切込み２４をそれぞれ設け、該切込み２４の無い部分を中央部２５としたものとしたものである（例えば、特許文献１）。
【特許文献１】特開２００１−９８６６７号公報
【発明の開示】
【発明が解決しようとする課題】
【０００４】
しかし、図２６に示すような、従来の組立て玩具は、合成樹脂等から形成された多数の部材から構成され、また形状の異なる複数の部材を組み合わせて形成されているため、使用し難いのに加えて、応用範囲が狭いという問題がある。
【０００５】
この発明は上記のような種々の課題を解決することを目的としてなされたものであって、軽量で、低コストで、さらに、単一の部材でも現実的に家具として使用することができ、さらに、子どもが玩具として使用するのみならず成長しても家具として使用することができる組立て家具ユニットに関する。
【課題を解決するための手段】
【０００６】
上記目的を達成するために、請求項１記載の組立て家具は、同じ幅を有し、その長さの比が２対１である薄板状のペーパーハニカムから成る長方形状の横材と、正方形状の縦材とがコの字型となるように該横材の両端に該縦材を直角に固定し、且つ、前記横材の四隅部及び前記縦材の開放側の二隅部に結合穴を形成したことを特徴としている。
【０００７】
請求項２記載の組立て家具ユニットは、請求項１の組立て家具ユニットにおいて、前記縦材の横材との固定側の二隅部にも結合穴を形成したことを特徴としている。
【発明の効果】
【０００８】
請求項１記載の組立て家具ユニットによれば、材質がペーパーハニカムであるので、重量が軽量となり、単独であるいは複数を組立てることによって、子どもの玩具としても好適であり、生産コストも削減することができ、経済的である。また、隅部に形成されている結合穴を利用して、同一の部材を組み合わせることで、多種多様な家具や、遊具を構成することができる。また、子どもの玩具として使用した際には、その組立てを工夫することにより、子どもの知育の発育を促すことができる。
【０００９】
請求項２記載の組立て家具ユニットは、請求項１の組立て家具ユニットにおいて、前記縦材の横材との固定側の二隅部にも結合穴を形成している。そのため、当該家具ユニットを組み合わせて構成することのできる玩具や、遊具あるいは家具の種類が増え、子どもの玩具として、更には、家具等への使用用途が多様になるという利点がある。
【発明を実施するための最良の形態】
【００１０】
以下に本発明における実施の形態について図面に基づいて説明する。図１は、本発明に係る組立て家具ユニット１の一例を示す斜視図である。
【００１１】
組立て家具ユニット１は、図１に示すように、同じ幅を有し、その長さの比が２対１である薄板状のペーパーハニカムからなる長方形状の横材２と正方形状の縦材３とがコの字型となるように該横材２の両端の同じ側に該縦材３を直角に固定し、且つ、前記横材２の四隅部及び前記縦材３の開放側の二隅部に結合穴４を形成したものである。
【００１２】
この組立て家具ユニット１の素材であるペーパーハニカムは、図１の断面部分に示しているように、紙を原料とした６角形状のハニカム構造をしている。これにより、軽量（密度３０〜５０ｋｇ／ｍ３程度）且つ丈夫（せん断強度２〜５ｋｇ・ｆ／ｃｍ２程度）なユニットとなるのに加えて、ハニカム構造のために湿度が内部へ侵入し難く、湿度や温度変化に対しても反りが発生し難いという利点がある。又、該ペーパーハニカムの６角形状のセル内に不燃、吸音、断熱性能を備えた発泡体を充填することにより、耐候、難熱化、防音を図ることや板状部材の表面に防水加工等を施すことも可能である。更に又、加工が容易で、しかも原料及び加工が低コストであるために安価であり、使用済のものは、紙の原料としてリサイクルできるので、環境にも優しいものである。
【００１３】
前記横材２と縦材３の幅は同じであるので、当然のことながらコの字型に固定した場合であっても全体として段差のない同じ幅を有し、しかも、横材２と縦材３の長さの比が２対１であることから、この組立て家具ユニット１の複数個を種々の連結の仕方によっても組立て易くなる構成となっている。又、横材２の四隅部と縦材３の開放側１３、すなわち、横材２と固定した反対側の二隅部には、これら組立て家具ユニット１を組立てる際にボルト５を挿通させるための結合穴４が形成されている。そして、これら結合穴４を形成している横材２及び縦材３の内側面の結合穴４の周囲にはボルト５の一端を係止するための止め板６を嵌め込むことができる凹部７が形成されている。更に結合穴４を形成している横材２及び縦材３の外側面側の結合穴４はナット８や安全のためのキャップ９が挿入係止できるように大径部１０を形成しており、この大径部１０と結合穴４の段差部１１にナット８が係止することによって、前記止め板６の挿入穴１２に挿入係止されているボルト５が締め付けられた際に止め板６を横材２や縦材３に密着固定するようにしている。該止め板６は前記凹部７の２倍の面積を有しているので、連結する２つの組立て家具ユニット１の隣り合う横材２や縦材３の双方に跨って挿入できるようになっている。
【００１４】
上記構成から成る組立て家具ユニット１を、図２に示すように、２つ横方向に連結固定して横長なＵ字型空間を形成する場合には、図３に示すように、２つの組立て家具ユニット１を２つ並べてから、それぞれの横材２の相隣接する２つの結合穴４と縦材３の相隣接する結合穴４の周囲に形成されている凹部７にそれぞれ跨ぐようにして、止め板６を嵌め込んでから、結合穴４及び挿入穴１２にボルト５を差し込んでナット８で締め付けて固定する。この場合、図４に示す断面図によく現れているように、ボルト５は組立て家具ユニット１の内側から止め板６の挿入穴１２、結合穴４の順に挿入し、横材２、縦材３の外側面にある段差部１１にあらかじめセットしてあるナット８にねじ込んでゆく。これによって、相隣接する２つの組立て家具ユニット１は横方向に連結固定されるが、しかしこのままでは外側面にはボルト５とナット８の端面が露出しているので、安全のためにキャップ９を被せて結合穴４の大径部１０に嵌め込み固定しておく。この実施形態では、２つの組立て家具ユニット１を横方向に連結固定する場合について説明したが、３つ以上でも同様である。
【００１５】
次に図５に示すように、２つの組立て家具ユニット１の開放側１３同士を連結固定して中空の箱型とする場合には、図６に示すように、相対向する縦材３の開放側１３の端同士を合わせることにより対向する４組の上下２つの結合穴４の周囲の４つの凹部７内に止め板６をそれぞれ挿入してから、ボルト５を組立て家具ユニット１の内側から止め板６の挿入穴１２及び結合穴４を挿通させて、あらかじめ縦材３の外側面の大径部１０に嵌められ段差部１１に係止されているナット８にねじ込むことによって、連結固定する。この連結状態の断面を図７に示している。この場合にも、縦材３の外側面からキャップ９を被せて安全を図っておくことが望ましい。
【００１６】
また、図８に示すように、２つの組立て家具ユニット１の横材２同士を背中合わせに工字型に連結固定する場合には、図９，図１０に示すように、相対向する横材２の四隅部にある結合穴４を重ね合わせて、一方の横材２の結合穴４の出口にナット８を当てて、他方の横材２の内側からボルト５を挿入して、ねじ込んでナット８と固定することによって、連結固定する。この場合には、止め板６は不要であるので、ナット８及び前述と同じ目的で使用するキャップ９は一方の横材２の凹部７内に納まり、且つ、ボルト５の頭部も他方の横材２の凹部７内に納まる。大径部１０及び段差部１１は重なった外側面の間に向い合って隠れて存在することになる。
【００１７】
次に、図１１乃至図２０に基づいて、この組立て家具ユニット１の使用例について説明する。図１１乃至図１３は、単体で使用する場合であり、この内、図１１は横材２を下方に向けて床上に置いてその内部に人が入って、横材２の内側面に載って、縦材３の内側面に背中をもたれてくつろぐ使用例である。図１２は２つの縦材３を床上に置いて横材２を支え、椅子として利用する使用例である。図１３は横材２の上面に載って、脚立として利用する使用例である。
【００１８】
図１４は、前記図８に示す横材２を背中合わせに連結固定した組立て家具ユニット１を一方の２つの縦材３が床上に載るようにして置くことにより、他方の２つの縦材３の表面を机若しくはテーブルとして利用する使用例である。
【００１９】
図１５は、前記図８に示す横材２を背中合わせに連結した組立て家具ユニット１を２つ横方向に並べて縦材３同士をボルト５とナット８で固定し、キャップ９を被せて安全を図るようにしたもので、座って使用する机、テーブル、物置台などとして利用できる使用例である。
【００２０】
図１６は、前記図５に示す中空の箱型とした組立て家具ユニット１を上下に２つ連結固定して深中空箱としたものである。上下の連結は、使用していない四隅部に形成してある相対向隣接している２つの結合穴４同士を前述のようにボルト５、ナット８、止め板６及びキャップ９を利用することによって行えば、一体型とすることができる。物入れや子どもの隠れ家としての使用例がある。
【００２１】
図１７は、前記図２に示す横方向に２つ並べて連結固定した組立て家具ユニット１の１つの横材２の上方に更にもう１つの組立て家具ユニット１を重ねて連結固定して積み重ねたものである。この積み重ねの連結固定は、上方に位置する組立て家具ユニット１の開放側１３の４つの結合穴４と下方に位置する組立て家具ユニット１の横材２の四隅部に位置する結合穴４をＬ字型部材１４を用いて、ボルト５、ナット８及びキャップ９で、連結固定したものである。この場合は、本立て、物入れ付机、テーブル、物置台などに利用できる使用例である。
【００２２】
図１８は、組立て家具ユニット１を３つ横方向に連結固定して、横材２が床上に位置するように載置して形成される横長の空間内部に子どもが寝ている状態の利用例である。
【００２３】
図１９は、組立て家具ユニット１を上下２枚に重ねて連結固定したもので、前述のように、Ｌ字型部材１４を用いて、上方に位置する組立て家具ユニット１の開放側１３にある結合穴４と下方に位置する組立て家具ユニット１の横材２の四隅部にある結合穴４とをボルト５、ナット８及びキャップ９で連結したものである。物置台などに使用できる。
【００２４】
図２０は、図１６に示す使用例のものを横方向に倒したもので、子どものトンネルや隠れ家として利用する使用例である。
【００２５】
図２１乃至図２３は組立てユニット１の他の連結固定の仕方を示す。この内、図２１は、組立て家具ユニット１の横材２と縦材３の側面に磁石１５を嵌め込んでおくことによって、これらを磁力によって連結固定するようにしたものである。この場合には、隣接する２つの組立てユニット１を同じ向きにした場合において、相隣接する磁石１５が異極となるようにしておく。磁石１５は上下面にも設置すれば、上下方向の連結固定も磁力によって、着脱自在に組立てることができる。結合穴４にボルト５とナット８を使用して連結する場合に比べて、簡単に組立てできるが、瞬間的な力がかかると連結が外れ易いものとなる。
【００２６】
又、図２２は、組立て家具ユニット１を万力１６を用いて、連結固定する例を示し、これによって相隣接する２つの組立て家具ユニット１の境界端部を万力１６で固定するだけでよい。この場合には、万力１６が載置する際や使用する際に邪魔にならないような位置で使用することとなる。
【００２７】
更に又、図２３は、２つの組立て家具ユニット１を横方向に並べてこれらの横材２の両端をバンド１７で連結固定したものである。図示していないが、更に縦材３同士をバンド１７で連結固定してもよい。
【００２８】
尚、図２４に示すように、組立て家具ユニット１の安全を更に高めるために横材２と縦材３が交わる部分の角を除去して、丸みを形成するようにしてもよい。
【００２９】
図２５は、この組立て家具ユニット１の他の実施形態を示し、縦材３の横材２の固定側の二隅にも２つの結合穴４を形成した実施形態である。この結合穴４を形成することによって、例えば、組立て家具ユニット１を長手方向に連結固定する場合には、縦材３の四隅部で連結固定できるので、強固な連結を得ることができる。
【００３０】
尚、上記各実施形態で使用しているボルト５やナット８更にはキャップ９は合成樹脂製とし、ボルト５を締付回転させるドライバーも同様の材質のものを使用すれば、子どもであっても安全に使用できる。
【図面の簡単な説明】
【００３１】
【図１】本発明の実施形態に係る組立て家具ユニットの斜視図である。
【図２】組立て家具ユニットの結合例を示す斜視図である。
【図３】図２における結合の仕方を示す斜視図である。
【図４】図２における断面Ａ−Ａを示す拡大断面図である。
【図５】組立て家具ユニットの他の結合例を示す斜視図である。
【図６】図５における結合の仕方を示す斜視図である。
【図７】図５における断面Ｂ−Ｂを示す拡大断面図である。
【図８】組立て家具ユニットのさらに他の結合例を示す斜視図である。
【図９】図８における結合の仕方を示す斜視図である。
【図１０】図８における断面Ｃ−Ｃを示す拡大断面図である。
【図１１】くつろぎスペース等としての使用例の斜視図である。
【図１２】椅子としての使用例の斜視図である。
【図１３】脚立としての使用例の斜視図である。
【図１４】テーブル等としての使用例の斜視図である。
【図１５】座って使用する机等としての使用例の斜視図である。
【図１６】物入れ等としての使用例の斜視図である。
【図１７】物置台等としての使用例の斜視図である。
【図１８】お昼寝用ベッドとしての使用例の斜視図である。
【図１９】物置台としての使用例の斜視図である。
【図２０】子どもの隠れ家等としての使用例の斜視図である。
【図２１】結合の仕方として磁石を使用する場合の斜視図である。
【図２２】結合の仕方として万力を使用する場合の斜視図である。
【図２３】結合の仕方としてバンドを使用する場合の斜視図である。
【図２４】他の組立て家具ユニットの例を示す斜視図である。
【図２５】さらに他の組立て家具ユニットの例を示す斜視図である。
【図２６】従来技術の斜視図である。
【符号の説明】
【００３２】
１              組立て家具ユニット
２              横材
３              縦材
４              結合穴
１３            開放側
【図１】
2008289634.tif 000003
【図２】
2008289634.tif 000004
【図３】
2008289634.tif 000005
【図４】
2008289634.tif 000006
【図５】
2008289634.tif 000007
【図６】
2008289634.tif 000008
【図７】
2008289634.tif 000009
【図８】
2008289634.tif 000010
【図９】
2008289634.tif 000011
【図１０】
2008289634.tif 000012
【図１１】
2008289634.tif 000013
【図１２】
2008289634.tif 000014
【図１３】
2008289634.tif 000015
【図１４】
2008289634.tif 000016
【図１５】
2008289634.tif 000017
【図１６】
2008289634.tif 000018
【図１７】
2008289634.tif 000019
【図１８】
2008289634.tif 000020
【図１９】
2008289634.tif 000021
【図２０】
2008289634.tif 000022
【図２１】
2008289634.tif 000023
【図２２】
2008289634.tif 000024
【図２３】
2008289634.tif 000025
【図２４】
2008289634.tif 000026
【図２５】
2008289634.tif 000027
【図２６】
2008289634.tif 000028